(57)【要約】【課題】傾斜板上に滞留する汚泥を直ぐに除去して汚泥ピットへと回収するようにした沈降滞留物除去装置を提供すること。【解決手段】沈澱池などの処理池の上流側には、汚水の流入部が設けられるとともにその流入部の下方には汚泥ピットが形成された底壁が設けられ、底壁上における池幅中央には、底壁に平行に前後に進退するスクレーパ付き汚泥掻寄装置が装備され、その汚泥掻寄装置からは支柱が立設されて支柱上端に水面に浮遊するスカムをスカム除去装置の方向に掻き寄せるスカム掻寄部材が設けられる一方、沈澱池内には、前記支柱の両側に位置するように傾斜板が配備されているものにおいて、前記支柱には、傾斜板に接触しながら進退して沈降滞留物を除去してゆく除去手段が設けられていることを特徴とする。【選択図】図２
2011224525.tif 000002
【特許請求の範囲】
【請求項１】
沈澱池などの処理池の上流側には、汚水の流入部が設けられるとともにその流入部の下方には汚泥ピットが形成された底壁が設けられ、底壁上における池幅中央には、底壁に平行に前後に進退するスクレーパ付き汚泥掻寄装置が装備され、その汚泥掻寄装置からは支柱が立設されて支柱上端に水面に浮遊するスカムをスカム除去装置の方向に掻き寄せるスカム掻寄部材が設けられる一方、沈澱池内には、前記支柱の両側に位置するように傾斜板が配備されているものにおいて、前記支柱には、傾斜板に接触しながら進退して沈降滞留物を除去してゆく除去手段が設けられていることを特徴とする沈降滞留物除去装置。
【請求項２】
請求項１に記載のものにおいて、除去手段は、ブラシなどの線条突起物である沈降滞留物除去装置。
【請求項３】
請求項１に記載のものにおいて、除去手段は、流体噴射手段である沈降滞留物除去装置。
【発明の詳細な説明】
【技術分野】
【０００１】  この発明は、沈降滞留物除去装置に関する。
【背景技術】
【０００２】  沈澱池には、流入される汚水に対向する形で前後複数枚の傾斜板が配備され、これら傾斜板の斜面上に汚泥を滞留させることにより汚泥ピットに近いところに汚泥を沈降落下させ回収しやすくしている。
そうした傾斜板を配備したものがある（例えば、特許文献１）。
【先行技術文献】
【特許文献】
【０００３】
【特許文献１】  特許第３４８５６３４号
【発明の概要】
【発明が解決しようとする課題】
【０００４】  しかし、上記特許文献における傾斜板上には汚泥が滞留しやすく、一旦滞留するとそのままではそれらを回収しにくく、それがため、水質改善が効率的に図れなかった。【０００５】  この発明は、このような従来の装置が有していた問題を解決しようとするものであり、傾斜板上に滞留する汚泥を直ぐに除去して汚泥ピットへと回収するようにした沈降滞留物除去装置を提供することを目的とする。
【課題を解決するための手段】
【０００６】  この発明は上記目的を達成するため、請求項１に記載の発明は、沈澱池などの処理池の上流側には、汚水の流入部が設けられるとともにその流入部の下方には汚泥ピットが形成された底壁が設けられ、底壁上における池幅中央には、底壁に平行に前後に進退するスクレーパ付き汚泥掻寄装置が装備され、その汚泥掻寄装置からは支柱が立設されて支柱上端に水面に浮遊するスカムをスカム除去装置の方向に掻き寄せるスカム掻寄部材が設けられる一方、沈澱池内には、前記支柱の両側に位置するように傾斜板が配備されているものにおいて、前記支柱には、傾斜板に接触しながら進退して沈降滞留物を除去してゆく除去手段が設けられていることを特徴とする。
請求項２に記載の発明は、請求項１に記載のものにおいて、除去手段は、ブラシなどの線条突起物である。
請求項３に記載の発明は、請求項１に記載のものにおいて、除去手段は、流体噴射手段である。
【発明の効果】
【０００７】  上述したようにこの発明の沈降滞留物除去装置によれば、沈澱池などの処理池の上流側には、汚水の流入部が設けられるとともにその流入部の下方には汚泥ピットが形成された底壁が設けられ、底壁上における池幅中央には、底壁に平行に前後に進退するスクレーパ付き汚泥掻寄装置が装備され、その汚泥掻寄装置からは支柱が立設されて支柱上端に水面に浮遊するスカムをスカム除去装置の方向に掻き寄せるスカム掻寄部材が設けられる一方、沈澱池内には、前記支柱の両側に位置するように傾斜板が配備されているものにおいて、前記支柱には、傾斜板に接触しながら進退して沈降滞留物を除去してゆく除去手段が設けられていることを特徴とするので、傾斜板上に滞留する汚泥を直ぐに除去して汚泥ピットへと回収することができるようになる。
【図面の簡単な説明】
【０００８】
【図１】この発明の沈降滞留物除去装置の一実施形態を示す平面図。
【図２】図１のＩＩ−ＩＩ線断面図。
【図３】図２のＩＩＩ−ＩＩＩ線断面図。
【図４】他の実施形態を示す横断面図。
【図５】他の実施形態を示す横断面図。
【図６】他の実施形態を示す側面図。
【図７】図６の左側面図。
【図８】他の実施形態を示す横断面図。
【図９】図８のＩＸ−ＩＸ線断面図
【図１０】他の実施形態を示す平面図。
【図１１】他の実施形態を示す図１２のＸＩ−ＸＩ線断面図。
【図１２】図１１のＸＩＩ−ＸＩＩ線断面図。
【図１３】他の実施形態を示す側断面図。
【図１４】他の実施形態を示す平面図。
【発明を実施するための形態】
【０００９】  以下、この発明の実施形態を詳細に説明する。
図１ないし図３は、沈降滞留物除去装置についての一実施形態で、１は沈澱池で、多孔状の流入部２の設けられた上流側の前端壁３とそれに対向する下流側の後端壁４とを備えるとともに、幅方向に対向する左右の側壁５，５を備える。沈澱池１の底壁６は、図２では水平に図示してあるが、実際には上流側に形成された汚泥ピット７の方向に緩やかに下がり傾斜している。
【００１０】  １０は汚泥掻寄装置で、同装置１０は、底壁６上の池幅中央を通るように固定されたモノレール式のガイドレール１１を備え、ガイドレール１１上にロングスリムタイプの車上機１２を池長手方向に進退駆動自在に装備している。
車上機１２は、前後複数の機体１３…と機体１３間をつなぐ連結パイプ１４…とを備える。機体１３は走行輪１５を備えてガイドレール１１を軌道として振れないように走行自在とする。
【００１１】  １６は主連動レバーで、各機体１３の前後間位置に前後に揺動するように取り付けられている。１７は副連動レバーで、各機体１３の前後位置に設けられ、これら主・副連動レバー１６，１７は連動ロッド１８でつながれている。各副連動レバー１７には、汚泥スクレーパ１９が連動自在に取り付けられ、垂直な掻寄状態と前上がりの非掻寄（復帰）状態とに上下するようになっている。
【００１２】  最も先行する機体１３に設けられた主連動レバー１７には、ワイヤロープやリンクチェーンなどの伝達部材２１の一端がつながれ、この伝達部材２１は、池上に設置の駆動源２２により図２の実線矢印Ａのように牽かれたり緩めたりすることができるようになっている。伝達部材２１は、駆動源２２を介してガイドレール１１内を通されガイドレール１１の後端を迂回して後端の機体１３の主連動レバー１７に他端が結ばれて図２の矢印Ｂ方向に牽くようになっている。主連動レバー１７の前後間は図示しないが連結パイプ１４内を通じて他の伝達部材によりつながれており、これにより、前後の汚泥スクレーパ１９…が掻寄状態と非掻寄状態に切り換えられるようになっている。２３は駆動ホイール、２４…はアイドルホイールである。
【００１３】  図１ないし図２は、汚泥掻寄装置１０が汚泥スクレーパ１９を垂直に下げた掻寄状態とされて底壁６上に沈降した汚泥を汚泥ピット７の方向に掻き寄せその掻寄が終了した時点の状態を示している。この掻寄状態は、駆動源２２により伝達部材２１が図２の矢印Ａ方向に牽かれることにより主連動レバー１６が前倒れになり副連動レバー１７も前倒れになって汚泥スクレーパ１９が垂直状態とされることにより得られる。駆動源２２が逆回転されて伝達部材２１が矢印Ｂ方向に牽かれると、主・副連動レバー１６，１７が後方（図２の右回り）に倒されて汚泥スクレーパ１９は持ち上げられて非掻寄状態（復帰状態）とされるとともに車上機１２を図２の右方向Ｂに牽引して元の位置まで掻寄なしに復帰させる。
【００１４】  車上機１０の先行する機体１３上には、支柱２６が高く立設され、その上端には、水面２７上の浮遊物であるスカムをスカム除去装置３０まで掻き寄せるスカムスクレーパ２８が起倒自在に取り付けられている。この起倒は前記汚泥スクレーパ１９に連動してなされるもので、スカム除去装置３０の方向Ｘには起立しその逆方向Ｙには倒れて水面下を戻るように進退する。
尚、スカムスクレーパ２８は、底壁６に平行に移動する。
【００１５】  スカム除去装置３０は、円筒パイプ製のスカムスキマータイプでもよいが、ここでは、固定トラフ式とされている。３１は連通トラフで、側壁５に貫通状に固定され、その間にトラフ３２が固定して横架されている。トラフ３２の前には堰３３が設けられて上下駆動手段３４で水面２７を境に上下運動されるようになっており、水面下に沈むことで水面を浮遊するスカムを呑み込み水面上に上がることで呑み込みを停止するようになっている。
【００１６】  スカムスクレーパ２８がＸ方向に前進してくると、支柱２６から前方に突設したカム材２９がトラフ３２から突設した検知スイッチ３５を作動させて前記上下駆動手段（電動シリンダなど）３４を下げ方向に連動し一定時間後に上げ方向に復帰するようになっている。尚、３７は越流堰である。
【００１７】  ４０は前傾斜板で、くの字折版形状のもので、この実施形態では、図２のように前端が汚泥ピット７の上方に位置し後端がスカム除去装置３０の手前に位置するように前後に一定の間隔を置いて多数枚配備されている。この前傾斜板４０は、図１および図３に示すように、汚泥掻寄装置１０の支柱２６が通るに充分な幅を空けて池幅方向の左右に配備されている。これら前傾斜板４０は、パイプ製の吊下フレーム４１により左右それぞれが吊り下げられている。吊下フレーム４１は、前後の水平梁４２とこれらを支持する斜行材４３および前後の水平梁４２間を２本をもってつなぐ吊下梁４４からなり、吊下梁４４から下げられた吊材４５…を介して前記前傾斜板４０…が支持されている。４６は中間梁である。
尚、後傾斜板４８…も同様の支持方式とされているが、この後傾斜板４８については省略されることがある。
【００１８】  こうした沈澱池において、５０は除去手段で長いブラシ状のもので、前傾斜板４０の対向側上端肩部に接触しながら汚泥掻寄装置１０とともに進退して傾斜板４０上の沈降滞留物を除去してゆくものである。この除去手段５０は、図３のように支柱２６から左右に伸びるステー５１にぶら下げられているが、ステー５１を前後に数列に配備してそれぞれから除去手段５０をぶら下げるようにしてもよい。尚、図３の図上欄に示すように、除去手段５０の下部先端に錘５２…を取り付けてより効果的に沈降滞留物が落ちるようにしてもよい。昇降コラム２６は左右あるいは前後２本など複数本式にしてもよい（以下同じ）。前記傾斜板４０の左右間隔は１乃至１．５ｍ前後とされているが、支柱２６が１本の場合０．５ｍ前後に狭くしてもよい（以下同じ）。
【００１９】  図４は他の実施形態を示す。傾斜板４０の間隔を狭くするとともに支柱２６の左右両脇から上下数段に亘ってブラシ状の除去手段５４…を突設して、接近する傾斜板４０の滞留のある上面を擦り落とすようにしてもよい。この除去手段５４…は汚泥掻寄装置１０の前進時と後退時では傾斜板４０の異なる上面を擦ることになる。
【００２０】  図５は他の実施形態を示す。同実施形態は、前記構成メンバーを通じて傾斜板４０に向けて水噴射を行うことで傾斜板４０に滞留する汚泥を落とすようにしたものである。
支柱２６はパイプ製で、その両側には連通状のノズル５６…が対応する傾斜板４０の向きに突設されている。ノズル５６…は、進退しながら水噴射をすることで傾斜板４０上に溜まる汚泥は落とされる。支柱２６内への水の供給は、図２に示すように、先行する機体１３に水中ポンプ５７を搭載して供給するようにしたり、下流側池上からの高圧水供給ホース５８を機体１３から連結パイプ１４を通じて支柱２６内に導くようにしたりする。ホース５８は、汚泥掻寄装置１０の進退ストローク分を吸収するため上方付勢されたスイングアーム５９を備えて対応する。
【００２１】  尚、ノズル５６は、図５の右上欄に示すように、スカムスクレーパ２８のスクレーパパイプ６０に連通するように配備してスクレーパ２８が起立した際には水面２７のスカムを送り倒れて戻る際には下向きになって傾斜板４０の滞留汚泥を落とすように作用するものにしてもよい。
【００２２】  また、図６および図７に示すように、吊材６２をパイプ製にして吊下梁６３に連通させるとともに吊材６２にノズル６４を備えて傾斜板４０の汚泥滞留個所に向けて水噴射を行うようにしてもよい。吊下梁６３には池上から水を供給する。供給は連続的であったりタイマー制御により定期的に行ったりし、適時に行うようにしてもよい。
【００２３】  図８において、傾斜板４０間には支柱２６が通る間隔が空いているためここを汚水が抵抗なく下流方向へ通過し、そのため汚泥の沈降効果が得られないことがある。したがって、その空間においても汚泥の沈降作用を得るため、支柱２６の両側に傾斜板６６を配備したものである。図９は、図８のＩＸ−ＩＸ線断面図である。
【００２４】  図１０の実施形態は、除去手段６９として、汚泥掻寄装置の支柱２６が進退する間に傾斜板４０を叩いて汚泥を落としてゆく態様を示している。この除去手段６９は、基部に縦軸回りのヒンジ７０を介して前後に揺動自在なスイングアーム７１を備え、同アーム７１の先端に錘７２を備えたもので、アーム７１は池幅方向に戻るように図示しないバネで付勢されている。
【００２５】  支柱２６は、同図（ａ）のように今微速度で前進中で、スイングアーム７１が傾斜板４０に添って運動している。支柱２６がさらに前進すると、（ｂ）のようにアーム７１から錘７２が傾斜板４０の端縁を越えるようになる。この状態では、基部のバネに抗してアーム７１が排除されるように運動し、（ｃ）のように支柱２６がさらに前進することにより、それまで接触してきた後側の傾斜板４０から外れて矢印のように前側の傾斜板４０にバネ力で当たるようになり、その力により汚泥が落とされることになる。支柱２６が後退する際にも同じく汚泥を叩き落とす作用をする。錘７２は、スイングアーム７１それ自体が一定の重さをもつものであれば錘７２に代わって叩く機能があるので必要ではない。支柱２６が復帰方向に運動する際も同様の動作をする。
【００２６】  図１１および図１２は他の実施形態を示す。同実施形態は、傾斜板を変曲自在な傾斜面状材７５で形成して定期的にあるいは必要時に池上から手動あるいは電動で一定ストローク分汚泥落としの方向に作動させたあと元に戻すといった泥落としができるようにしたものである。
傾斜面状材７５は、池幅の半分よりも短い幅とされた軟質プラスチック面状材や編成面状材などでなり、その長手方向両端間はワイヤロープやリンクチェーン、プレートチェーンなどの線条材でなるつなぎ材７６の数本でつながれて１つの無端循環材を形成している。
【００２７】  ７７は支持フレームで、図１２のように左右一対一定の間隔を置いて側壁５に固定台７４を介して固定されている。各支持フレーム７７は、左右に対向する縦フレーム７８の一対と、各縦フレーム７８から一方向に突設された複数本のアーム７９と、これらアーム７９の上下間を結ぶ連結部材８０とでなり、縦フレーム７８の上下端間は、幅間連結材８１でつながれている。これらでなる支持アーム７７には、傾斜面状材７５を蛇行状に掛け回すべく複数のローラー８２…が水平に装架されている。この場合、図１１の左側が汚水の流れてくる上流側に相当するので、その上流側に向けてつなぎ材７６がくるようにすることで汚水が自然に入り込むようにしてある。つなぎ材７６の下回りには、張力を付加するためのウエイト８３がぶら下げてある。
【００２８】  池上には、操作ハンドル８５あるいは電動モーター８６が設けられており、これらの回転力は駆動ホイール８７から駆動チェーン８８を介して従動ホイール８９を作動させるようになっており、従動ホイール８９からはローラー８２が連動されるようになっている。Ｓは駆動ストロークで、傾斜面状材７５を斜め下向きに連動させたり戻したりする長さを表している。９０はスクレーパで、落ちてくる沈降汚泥を傾斜面状材７５から分離するためのものである。
【００２９】  図１２および図１３に示す状態から傾斜面状材７５上に汚泥が堆積した場合、操作ハンドル８５か電動モーター８６を駆動して傾斜面状材７５をＳ分下げ駆動する。これにより、傾斜面状材７５の傾斜表面および裏面の堆積物は落とされる。中間高さのローラー８２は下端のローラー８２よりも下流側に位置をずらせてあるので、落ちてくる堆積物が下のローラー８２上に溜まらず、しかも中間高さのローラー８２の下方には傾斜面状材７５でなくつなぎ材７６で落ちやすくしてあるので、装置のいずれの個所にも汚泥が溜まるおそれがない。
【００３０】  尚、図１３に示すように、つなぎ材７６が下回りにおいて水平に移動するようにローラー８２を配備し、その下回りに２つの突起９２，９２を設けておき、支柱２６側には、突起９２を押進させ得る水平バー９３を突設して汚泥掻寄装置１０が前進する際に水平バー９３により前側の突起９２が押されて傾斜面状材７５を下向きに回し、後退する際には水平バー９３が後側の突起９２を押し戻すようにすることで、汚泥掻寄装置１０の動きを利用して堆積物を自動で落とすようにしてもよい。
【００３１】  また、図１４に示すように、ローラー８２は側壁５に平行に設けてもよい。
【符号の説明】
【００３２】  １…沈澱池  １０…汚泥掻寄装置  １１…ガイドレール  １２…車上機  ２６…支柱  ３０…スカム除去装置  ４０…傾斜板  ５０，５４…除去手段  ７５…傾斜面状材。
【図１】
2011224525.tif 000003
【図２】
2011224525.tif 000004
【図３】
2011224525.tif 000005
【図４】
2011224525.tif 000006
【図５】
2011224525.tif 000007
【図６】
2011224525.tif 000008
【図７】
2011224525.tif 000009
【図８】
2011224525.tif 000010
【図９】
2011224525.tif 000011
【図１０】
2011224525.tif 000012
【図１１】
2011224525.tif 000013
【図１２】
2011224525.tif 000014
【図１３】
2011224525.tif 000015
【図１４】
2011224525.tif 000016